(57)【要約】      （修正有）【課題】プロジェクタ型前照灯において投影レンズを加工することなく適度にぼけた状態のカットオフラインを形成する。【解決手段】プロジェクタ型前照灯において、前記リフレクターは、配光パターン用反射面及びカットオフライン用反射面を有しており、前記配光パターン用反射面は、前記シェード上縁近傍に焦点が設定されており、前記光源からの光のうち前記所定配光パターンを形成する光を反射し、前記シェード上縁近傍に設定された焦点に集光させた後、前記投影レンズを介して照射するように構成されており、前記カットオフライン用反射面は、前記シェード上縁近傍に設定された焦点から所定距離離れた位置に焦点が設定されており、かつ、前記光源からの光のうち前記カットオフラインを形成する光を反射し、前記シェード上縁近傍に設定された焦点から所定距離離れた位置に設定された焦点に集光させた後、前記投影レンズを介して照射するように構成されている。【選択図】図１
2008300202.tif 000002
【特許請求の範囲】
【請求項１】
光軸に沿って配置された、投影レンズ、シェード、光源、及び、リフレクターを備えており、前記光源が発光した光を前記リフレクターにより反射し、前記シェード上縁近傍に設定された焦点に集光させた後、前記投影レンズを介して照射することにより、所定配光パターン及びカットオフラインを形成するプロジェクタ型前照灯において、
前記リフレクターは、配光パターン用反射面、及び、カットオフライン用反射面を有しており、
前記配光パターン用反射面は、前記シェード上縁近傍に焦点が設定されており、かつ、前記光源が発光した光のうち前記所定配光パターンを形成する光を反射し、前記シェード上縁近傍に設定された焦点に集光させた後、前記投影レンズを介して照射するように構成されており、
前記カットオフライン用反射面は、前記シェード上縁近傍に設定された焦点から所定距離離れた位置に焦点が設定されており、かつ、前記光源が発光した光のうち前記カットオフラインを形成する光を反射し、前記シェード上縁近傍に設定された焦点から所定距離離れた位置に設定された焦点に集光させた後、前記投影レンズを介して照射するように構成されていることを特徴とするプロジェクタ型前照灯。
【発明の詳細な説明】
【技術分野】
【０００１】
本発明は、プロジェクタ型前照灯に係り、特に投影レンズを加工することなく適度にぼけた状態のカットオフラインを形成することができるプロジェクタ型前照灯に関する。
【背景技術】
【０００２】
従来、自動車等の車両に搭載されるプロジェクタ型前照灯が知られている（例えば特許文献１参照）。この特許文献１に記載されたプロジェクタ型前照灯は、光軸に沿って配置された、投影レンズ、遮光板（シェードともいう）、光源、及び、反射板（リフレクターともいう）を備えており、光源が発光した光を反射板により反射し、遮光板上縁近傍に設定された焦点に集光させた後、投影レンズを介して照射することにより、所定配光パターン及び遮光板上縁形状により規定されるカットオフラインを形成する。
【０００３】
この種のプロジェクタ型前照灯においては、カットオフラインが比較的はっきりと現れるので運転しづらいとの問題点が指摘されており、従来、この問題点を改善するべく、カットオフラインが適度にぼけるように投影レンズを加工する等の対策がとられている。
【特許文献１】特開平６−８４４０１号公報
【発明の開示】
【発明が解決しようとする課題】
【０００４】
しかしながら、投影レンズを加工すると、投影レンズで焦点をぼかすことによるＭａｘ光度の低下、加工処理工数の増加によるコストアップ等の問題を生ずる。
【０００５】
本発明は、このような事情に鑑みてなされたものであり、プロジェクタ型前照灯において投影レンズを加工することなく適度にぼけた状態のカットオフラインを形成することを目的とする。
【課題を解決するための手段】
【０００６】
本発明は上記課題を解決するために、請求項１に記載の発明は、光軸に沿って配置された、投影レンズ、シェード、光源、及び、リフレクターを備えており、前記光源が発光した光を前記リフレクターにより反射し、前記シェード上縁近傍に設定された焦点に集光させた後、前記投影レンズを介して照射することにより、所定配光パターン及びカットオフラインを形成するプロジェクタ型前照灯において、前記リフレクターは、配光パターン用反射面、及び、カットオフライン用反射面を有しており、前記配光パターン用反射面は、前記シェード上縁近傍に焦点が設定されており、かつ、前記光源が発光した光のうち前記所定配光パターンを形成する光を反射し、前記シェード上縁近傍に設定された焦点に集光させた後、前記投影レンズを介して照射するように構成されており、前記カットオフライン用反射面は、前記シェード上縁近傍に設定された焦点から所定距離離れた位置に焦点が設定されており、かつ、前記光源が発光した光のうち前記カットオフラインを形成する光を反射し、前記シェード上縁近傍に設定された焦点から所定距離離れた位置に設定された焦点に集光させた後、前記投影レンズを介して照射するように構成されていることを特徴とする。
【０００７】
請求項１に記載の発明によれば、カットオフライン用反射面を備えており、このカットオフライン用反射面は、シェード上縁近傍に設定された焦点ではなく、この焦点から所定距離離れた位置に焦点が設定されており、光源が発光した光のうちカットオフラインを形成する光を、この所定距離離れた位置に設定された焦点に集光するように構成されているので、適度にぼけた状態のカットオフラインを形成することが可能となる。すなわち、請求項１に記載の発明によれば、投影レンズを加工することなく、楕円リフレクターにカットオフライン用反射面を設けるだけで、適度にぼけた状態のカットオフラインを形成することが可能となる。また、請求項１に記載の発明によれば、投影レンズを加工しないので、投影レンズの加工に起因するＭａｘ光度の低下及びコストアップ等を防止又は低減することが可能となる。
【発明の効果】
【０００８】
本発明によれば、プロジェクタ型前照灯において投影レンズを加工することなく適度にぼけた状態のカットオフラインを形成することが可能となる。
【発明を実施するための最良の形態】
【０００９】
以下、本発明の一実施形態であるプロジェクタ型前照灯について図面を参照しながら説明する。
【００１０】
図１は、本実施形態のプロジェクタ型前照灯の構成を説明するための側面図である。
【００１１】
本実施形態のプロジェクタ型前照灯１００は、自動車等の車両のいわゆるヘッドランプあるいはフォグランプ等に適用されるものであり、図１に示すように、光軸に沿って配置された、投影レンズ１０、楕円リフレクター４０の反射光の一部を遮蔽して所定配光パターン及びカットオフラインを形成するためのシェード２０、光源３０（白熱電球、ハロゲンランプ、ＬＥＤ等）、及び、楕円リフレクター４０等を備えている。投影レンズ１０、シェード２０、及び、光源３０としては、従来のプロジェクタ型前照灯において用いられているものと同様のものを用いることが可能である。
【００１２】
楕円リフレクター４０は、従来のプロジェクタ型前照灯において用いられているものとは異なり、配光パターン用反射面４１、及び、カットオフライン用反射面４２を備えている。
【００１３】
図２は、楕円リフレクター４０に形成された配光パターン用反射面４１及びカットオフライン用反射面４２を説明するための斜視図である。
【００１４】
配光パターン用反射面４１は、すれ違いビーム用の所定配光パターンを形成するための楕円反射面である。配光パターン用反射面４１は、シェード２０上縁近傍に第２焦点Ｐ０が設定されており、かつ、この反射面４１の第１焦点に配置された光源３０が発光した光のうち所定配光パターンを形成する光を反射し、第２焦点Ｐ０に集光させた後、投影レンズ１０を介して照射するように構成されている。
【００１５】
カットオフライン用反射面４２は、シェード２０上縁形状により規定されるいわゆるカットオフラインを形成するための楕円反射面である。カットオフライン用反射面４２は、第２焦点Ｐ０から所定距離ａ離れた位置に焦点Ｐ１が設定されており、かつ、光源３０が発光した光のうちカットオフラインを形成する光を反射し、焦点Ｐ１に集光させた後、投影レンズ１０を介して照射するように構成されている。このカットオフライン用反射面４２により、適度にぼけた状態のカットオフラインを形成することが可能となる。
【００１６】
このカットオフライン用反射面４２は、楕円リフレクター４０を加工することにより形成される。例えば、図２に示すように、楕円リフレクター４０（配光パターン用反射面４１）の、光源３０が発光した光のうちカットオフラインを形成する光を反射する部分を一段低くすることにより（例えば該部分をカットすることにより）形成することが考えられる。あるいは、楕円リフレクター４０（配光パターン用反射面４１）の、光源３０が発光した光のうちカットオフラインを形成する光を反射する部分を一段高くすることにより（例えば反射面４２を接着することにより）形成することも考えられる。
【００１７】
図３は、カットオフライン用反射面４２により形成されるカットオフラインを説明するための図である。
【００１８】
カットオフライン用反射面４２の焦点Ｐ１は第２焦点Ｐ０から所定距離ａ離れているため、図３に示すように、カットオフラインＬ１は、カットオフライン用反射面４２の無い従来のプロジェクタ型前照灯により形成されるカットオフラインＬ２よりも距離ｂ離れた位置に適度にぼけた状態で形成される。
【００１９】
なお、カットオフライン用反射面４２の形状又は形成位置等を調整し、第２焦点Ｐ０と焦点Ｐ１との間の距離ａ及び距離ｂを変更することで、カットオフラインＬ１のボケの程度を調整することが可能となる。また、カットオフラインＬ１を適度にぼけさせつつ、道路運送車両の保安基準に適合させることも可能となる。
【００２０】
以上説明したように、本実施形態のプロジェクタ型前照灯１００においては、カットオフライン用反射面４２を備えており、このカットオフライン用反射面４２は、シェード２０上縁近傍に設定された第２焦点Ｐ０ではなく、この第２焦点から所定距離ａ離れた位置に焦点Ｐ１が設定されており、かつ、光源３０が発光した光のうちカットオフラインを形成する光を、この焦点Ｐ１に集光するように構成されているので、適度にぼけた状態のカットオフラインを形成することが可能となる。すなわち、本実施形態のプロジェクタ型前照灯１００においては、投影レンズ１０を加工することなく、楕円リフレクター４０にカットオフライン用反射面４２を設けるだけで、適度にぼけた状態のカットオフラインを形成することが可能となる。
【００２１】
また、本実施形態のプロジェクタ型前照灯１００においては、カットオフライン用反射面４２の形状又は形成位置等を調整し、第２焦点Ｐ０と焦点Ｐ１との間の距離ａ及び距離ｂを変更することで、カットオフラインＬ１のボケの程度を調整することが可能となる。さらに、カットオフラインＬ１を適度にぼけさせつつ、道路運送車両の保安基準に適合させることも可能となる。
【００２２】
また、本実施形態のプロジェクタ型前照灯１００においては、投影レンズ１０を加工しないので、投影レンズ１０の加工に起因するＭａｘ光度の低下及びコストアップ等を防止又は低減することが可能となる。
【００２３】
さらに、本実施形態のプロジェクタ型前照灯１００においては、カットオフライン用反射面４２以外の配光パターン用反射面４１による反射光は投影レンズ１０によりぼかされないので、投影レンズ１０を加工することによりカットオフラインをぼかした場合と比較してＭａｘ光度が低下しない。
【００２４】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００２５】
【図１】本発明の一実施形態であるプロジェクタ型前照灯の構成を説明するための側面図である。
【図２】楕円リフレクター４０に形成された配光パターン用反射面４１を説明するための斜視図である。
【図３】本実施形態のプロジェクタ型前照灯１００により形成されるカットオフラインを説明するための図である。
【符号の説明】
【００２６】
１０…投影レンズ、２０…シェード、３０…光源、４０…楕円リフレクター、４１…配光パターン用反射面、４２…カットオフライン用反射面、１００…プロジェクタ型前照灯
【図１】
2008300202.tif 000003
【図２】
2008300202.tif 000004
【図３】
2008300202.tif 000005